(57)【要約】【課題】            人体検出手段を備えた暖房機を簡易の防犯装置として利用できるようにするための制御装置に関する。【解決手段】        運転スイッチ１１の信号に基づいてポンプ３と燃焼用送風機４とを制御してバーナ２の燃焼の開始と停止を行う燃焼制御手段１２ａを備え、室内温度検出手段９と温度設定手段１０からの信号を用いて燃焼中のバーナ２の燃焼量を可変すると共に、温風暖房機の付近の人の存在を検知する人体検出手段１３による人体不検知の出力によってバーナ２の燃焼量を強制的に微小燃焼に変更もしくは燃焼を停止する。温風暖房機の制御装置１２は、人体検出手段１３の検知機能の有効・無効を選択するモード選択手段１４を備え、暖房機の不使用時にモード選択手段１４によって人体検出手段１３の機能を有効にしたときに監視モードで作動し、監視モード中の人体検出手段１３による人体検知の出力によって警報手段１５を所定時間作動する。【選択図】          図１
2006207979.tif 000002
【特許請求の範囲】
【請求項１】
枠体１内にバーナ２と、このバーナ２に燃料を供給するポンプ３と、このバーナ２に燃焼空気を送る燃焼用送風機４とを設け、
該枠体１の前後を貫通する送風経路５には、入口側に対流用送風機６、出口側に吹出口７を設け、前記バーナ２の上部に設けた燃焼室８は送風経路５内に開口し、この送風経路５を通過する空気を温風にすると共に、
室内温度を検出する室内温度検出手段９と、室内温度を設定する温度設定手段１０と、運転スイッチ１１の信号に基づいて前記ポンプ３と燃焼用送風機４とを制御してバーナ２の燃焼の開始と停止を行う燃焼制御手段１２ａと、
温風暖房機の付近の人の存在を検知する人体検出手段１３とを備え、
燃焼制御手段１２ａは前記室内温度検出手段９と温度設定手段１０からの信号を用いて燃焼中のバーナ２の燃焼量を可変すると共に、
人体検出手段１３による人体不検知の出力によってバーナ２の燃焼量を強制的に微小燃焼に変更もしくは燃焼を停止する温風暖房機において、
前記温風暖房機には人体検出手段１３の検知機能の有効・無効を選択するモード選択手段１４と、人体検出手段１３の人体検知の出力によって作動する警報手段１５とを備え、
温風暖房機の制御装置１２は温風暖房機の不使用時にモード選択手段１４によって人体検出手段１３の機能を有効にしたときに監視モードを選択し、
制御装置１２は人体検出手段１３による人体検知の出力によって警報手段１５を所定時間作動することを特徴とする温風暖房機。
【請求項２】
前記制御装置１２には所定時間を計時するタイマ手段１６を備え、
温風暖房機の不使用時に前記モード選択手段１４によって監視モードを選択したときは、人体検出手段１３の人体不検知の出力によってタイマ手段１６がカウントを開始し、人体不検知の状態が所定時間継続したときに監視モードの動作を開始することを特徴とする請求項１記載の温風暖房機。
【請求項３】
監視モード中の人体検出手段１３の人体検知出力による警報手段１５の作動後は、人体検出手段１３の人体不検知の出力でタイマ手段１６がカウントを開始し、人体不検知の状態が所定時間継続したときに監視モードの動作に復帰することを特徴とする請求項１または２に記載した温風暖房機。
【請求項４】
前記枠体１には表示手段１７を設けると共に、前記制御装置１２には監視モード中の人体検知の出力回数をカウントするカウンタ手段１８を備え、
監視モード中の人体検出手段１３による人体検知の出力によってカウンタ手段１８を加算し、人体検知の出力回数を表示手段１７に表示することを特徴とする請求項１から３に記載した温風暖房機。
【請求項５】
前記制御装置１２には人体検出手段１３の人体検知の出力時の時刻を記憶する記憶手段１９を設け、温風暖房機には時計機能を内装し、
時計機能に時刻データ設定時は、監視モード中に人体検出手段１３が人体検知したときの時刻を記憶手段１９に記憶し、表示手段１７には時刻データを表示する請求項４に記載した温風暖房機。
【発明の詳細な説明】
【技術分野】
【０００１】
本発明は人の存在を検知して燃焼量を制御する温風暖房機の制御装置に関する。
【背景技術】
【０００２】
従来、燃焼排気を室内に排出する方式の温風暖房機では、枠体内にバーナを設け、このバーナに燃料を供給するポンプと、燃焼空気を送る燃焼用送風機を設け、ポンプから供給された燃料と、燃焼用送風機からの燃焼空気を、バーナ内で混合、気化、燃焼させることにより、暖房に必要な熱量を発生させている。
【０００３】
枠体の前後を貫通する送風経路には、入口側に対流用送風機、出口側に吹出口を設け、前記バーナの上部に設けた燃焼室を送風経路に取付けることにより、送風経路を通過する空気と、バーナから燃焼室内に送り込まれる排気とを混合し、対流用送風機によって吹出口から温風として枠体前面へ吹き出すものである。
【０００４】
また、枠体内には前記ポンプと燃焼用送風機とを制御してバーナの燃焼開始、停止、燃焼量の変更を行う燃焼制御手段を設け、枠体上の操作表示盤に設けられた運転スイッチの入／切信号に基づいて、バーナの燃焼開始、及び停止の制御を行っている。  
【０００５】
また、枠体には室内の温度を検出する室内温度検出手段、操作盤には使用者が所望の室内温度を設定することができる温度設定手段を設け、前記燃焼制御手段は室内温度検出手段によって検出された室内温度の数値と温度設定手段にて決定された設定温度の数値をもとにして、バーナの燃焼量を変化させ、室内温度を設定温度に近づけるように制御を行うものである。
【０００６】
近年では、枠体に暖房機のまわりの人体の有無を検知する人体検出手段を設け、人体検出手段が人の存在を検知しなくなった場合は、温度設定手段にて設定された設定温度の数値を、使用者があらかじめ設定した数値分を強制的に下げることにして、この減少した設定温度と室内温度との比較を燃焼制御手段によって行うことにより、バーナの燃焼量を減少する方向に変化させて、部屋に人がいない間は暖房機の燃料消費量を低減するような構造が知られている（特許文献１参照）。
【０００７】
また、人体検出手段の機能を機器の不使用時にも有効に利用するため、不在時の防犯を目的として、枠体内に通信制御を行う制御装置を備え、人体検出手段による人体検知の出力があったときに所定の施設や端末へ通報を行う空気調和機の提案がある（特許文献２参照）。
【特許文献１】特開２００３−９０６２４号公報
【特許文献２】特開２０００−３４６４２６号公報
【発明の開示】
【発明が解決しようとする課題】
【０００８】
上記の特許文献２のような通信制御を行う制御装置を機器に内蔵したものは、機器本体と通信媒体などとの接続作業や設定を行う必要があり、全てのユーザーがこの機能を使用するとは限らず、使用者によっては全く使わない機能となっている。このため、せっかく防犯装置として通信制御を行う制御装置を内蔵しても、この機能を選択して購入するユーザー以外にはメリットがないものとなっている。
【０００９】
また、通信制御を行う制御装置を内蔵すると機器の価格が上昇するため、最近の低価格化の進んだ温風暖房機に通信制御装置を追加することは難しいものであり、この発明は人体検出手段を備える温風暖房機を使ってユーザーが利用しやすい簡易の防犯装置を提案し、人体検出手段の機能を有効に利用できる温風暖房機を提供することを目的とする。
【課題を解決するための手段】
【００１０】
この発明は上記課題を解決するもので、枠体１内にバーナ２と、このバーナ２に燃料を供給するポンプ３と、このバーナ２に燃焼空気を送る燃焼用送風機４とを設け、該枠体１の前後を貫通する送風経路５には、入口側に対流用送風機６、出口側に吹出口７を設け、前記バーナ２の上部に設けた燃焼室８は送風経路５内に開口し、この送風経路５を通過する空気を温風にすると共に、室内温度を検出する室内温度検出手段９と、室内温度を設定する温度設定手段１０と、運転スイッチ１１の信号に基づいて前記ポンプ３と燃焼用送風機４とを制御してバーナ２の燃焼の開始と停止を行う燃焼制御手段１２ａと、温風暖房機の付近の人の存在を検知する人体検出手段１３とを備え、燃焼制御手段１２ａは前記室内温度検出手段９と温度設定手段１０からの信号を用いて燃焼中のバーナ２の燃焼量を可変すると共に、人体検出手段１３による人体不検知の出力によってバーナ２の燃焼量を強制的に微小燃焼に変更もしくは燃焼を停止する温風暖房機において、前記温風暖房機には人体検出手段１３の検知機能の有効・無効を選択するモード選択手段１４と、人体検出手段１３の人体検知の出力によって作動する警報手段１５とを備え、温風暖房機の制御装置１２は温風暖房機の不使用時にモード選択手段１４によって人体検出手段１３の機能を有効にしたときに監視モードを選択し、制御装置１２は人体検出手段１３による人体検知の出力によって警報手段１５を所定時間作動することを特徴とするものである。
【００１１】
また、制御装置１２には所定時間を計時するタイマ手段１６を備え、温風暖房機の不使用時に前記モード選択手段１４によって監視モードを選択したときは、人体検出手段１３の人体不検知の出力によってタイマ手段１６がカウントを開始し、人体不検知の状態が所定時間継続したときに監視モードの動作を開始する構成としたから、使用者が監視モードをセットして完全に人がいなくなった状態となってから、監視モードの動作を開始するので、人体検出手段１３が誤検知することはない。
【００１２】
また、監視モード中の人体検出手段１３の人体検知出力による警報手段１５の作動後は、人体検出手段１３の人体不検知の出力でタイマ手段１６がカウントを開始し、人体不検知の状態が所定時間継続したときに監視モードの動作に復帰する構成としたから、人体検出手段１３が人体検知した後も監視モードの動作を継続するものである。
【００１３】
また、枠体１には表示手段１７を設けると共に、前記制御装置１２には監視モード中の人体検知の出力回数をカウントするカウンタ手段１８を備え、監視モード中の人体検出手段１３による人体検知の出力によってカウンタ手段１８を加算し、人体検知の出力回数を表示手段１７に表示する構成としたから、監視モード中の人体検知の回数を確認することができる。
【００１４】
また、制御装置１２には人体検出手段１３の人体検知の出力時の時刻を記憶する記憶手段１９を設け、温風暖房機には時計機能を内装し、時計機能に時刻データ設定時は、監視モード中に人体検出手段１３が人体検知したときの時刻を記憶手段１９に記憶し、表示手段１７には時刻データを表示することで、監視モード中の人体検知の時刻と回数を確認することができる。
【発明の効果】
【００１５】
温風暖房機の不使用時にモード選択手段１４を操作して人体検出手段１３の機能を有効にすると監視モードで動作を開始し、人体検出手段１３が人体検知を出力すると警報手段１５を所定時間作動するもので、留守中に侵入者があった場合に侵入者に対して警告を行うものであり、人体検出手段１３を備える温風暖房機を簡易の防犯装置として利用することができ、通信制御を行う制御装置を内蔵しないので温風暖房機の価格の上昇を抑えてユーザーが利用しやすい装置が実現できた。
【００１６】
また、温風暖房機の不使用時にモード選択手段１４によって人体検出手段１３の機能を有効したときは、人体検出手段１３の人体不検知の出力があったときにタイマ手段１６が作動し、人体不検知中の状態が所定時間継続したときに監視モードの動作を開始するので、外出する際に監視モードを設定した場合、温風暖房機のある部屋から出るまでの間に人体検出手段１３が人体検知することはなく、使用者が部屋から完全にいなくなった状態になってから人体検出手段１３が人体の検出を開始するので、誤検知を防ぐことができる。
【００１７】
また、監視モードの動作中に人体検出手段１３の人体検知の出力で警報手段１５が所定時間作動した場合、その後の人体検出手段１３の人体不検知の出力でもタイマ手段１６が作動し、人体不検知の状態が所定時間継続したときに監視モードの動作を再開するので、人体検出手段１３が作動した後も監視モードを継続することができ、侵入者が警報手段１５の作動によって温風暖房機の付近から一旦離れた後、再度温風暖房機の付近を通ったときにも警報手段１５が作動するので、侵入者に対して警告を行うことができる。
【００１８】
また、人体検出手段１３による人体検知の出力があったときはカウンタ手段１８を加算し、カウンタ手段１８でカウントした人体検知の出力回数を枠体１の表示手段１７で表示する構成としたので、使用者が外出から戻ったときに人体検知の有無と、人体検知があった場合にはその回数を確認することができ、留守中に異常があった場合の情報を知ることができるものである。
【００１９】
また、温風暖房機に時計機能を内装している場合は、制御装置１２に人体検出手段１３の人体検知の出力時の時刻を記憶する記憶手段１９を設け、時計機能に時刻データが設定されているときは、監視モード中に人体検出手段１３が人体検知したときの時刻を記憶手段１９に記憶し、表示手段１７に時刻データを表示する構成としたから、使用者が外出から戻ったときに人体検知の有無と、人体検知があった場合にはそのときの時刻と回数を確認することができ、留守中に異常があった場合の情報を知ることができる。
【発明を実施するための最良の形態】
【００２０】
実施例を示す図によってこの構成を説明すると、１は温風暖房機の枠体、２は枠体１内に配置したバーナ、２０は燃焼用空気が送られる風胴、２１は風胴２０内に設置された有底筒形のポット、２１ａは風胴２０から燃焼用空気が供給できるようにポット２１の側壁に設けた多数の小径空気孔であり、前記バーナ２の本体は風胴２０とポット２１によって構成される。４はポット２１に燃焼用空気を供給するための燃焼用送風機であり、燃焼用送風機４によって圧送された燃焼用空気は風胴２０に送られ、小径空気孔２１ａの位置と大きさにより適切に制御されてポット２１内に供給される。
【００２１】
２２はポット２１に供給する燃料を貯える油タンク、３は油タンク２２の上面に取付けた電磁ポンプで構成するポンプ、２３はポット２１とポンプ３との間に設けた燃料パイプ、２４は燃料パイプ２３のポット２１内に伸ばした先端で構成する送油ノズルであり、前記風胴２０とポット２１の側壁とを貫通するようにポット２１内部に伸ばした送油ノズル２４から燃料がポット２１の底面に供給される。
【００２２】
２５はポット２１の側壁からポット２１の底面と間隔を介して取付けた予熱兼用の点火ヒータ、２６はポット２１内に設置された助燃部材、８はポット２１上方に配置された燃焼室であり、ポット２１内に供給された燃料は、点火ヒータ２５や燃焼熱で高温となっているポット２１の底面で気化し、初期燃焼を開始しながら小径空気孔２１ａから供給される燃焼用空気と助燃部材２６の働きで混合し、燃焼室８内で完全燃焼するものである。
【００２３】
５は枠体１を前後に貫通して燃焼室８を取り囲むように配置された送風経路、６は送風経路５の後方に設置された対流用送風機、７は送風経路５の前方に設置された吹出口であり、前記燃焼室８は送風経路５内に開口し、その燃焼室８で完全燃焼した燃焼ガスは送風経路５に送られ、前記対流用送風機６によって取り込まれた室内空気と燃焼ガスとが送風経路５内で混合され、吹出口７より温風として排出されるものである。
【００２４】
また、１２は枠体１内に設置されたコンピュータシステムで構成してＣＰＵ・ＲＯＭ・ＲＡＭ・Ｉ／Ｏ装置などで動作させる制御装置、２７は枠体１の表面に設置された操作表示盤、１１は操作表示盤２７に設けられた運転スイッチ、２８は操作表示盤２７と制御装置１２とをつなぐリード線であり、運転スイッチ１１の入／切信号はリード線２８を通して制御装置１２に送られ、該制御装置１２は運転スイッチ１１の信号に基づいてポンプ３、燃焼用送風機４、点火ヒータ２４、対流用送風機６の入／切を指示し、温風暖房機の運転を制御している。
【００２５】
また、９は枠体１の後方に設置された温度センサで構成する室内温度検出手段、１０は操作表示盤２７上に設けたボタンで操作されて使用者の所望する温度を記憶する温度設定手段、１２ａは温度設定手段１０に記憶されている温度数値と、室内温度検出手段９よりもたらされる現在室温の温度数値を比較してバーナ２の燃焼量を決定する燃焼制御手段であり、該燃焼制御手段１２ａは設定温度のほうが高い場合にはポンプ３の流量、及び燃焼用送風機４の回転数を増加することによってバーナ２の燃焼量を増加させ、室内温度のほうが高い場合にはポンプ３の流量、及び燃焼用送風機４の回転数を減少することによってバーナ２での燃焼量を減少させることにより、室内温度の数値を設定温度の数値に近づけるように制御を行うものである。
【００２６】
１３は枠体１の前面に設置された人感センサで構成された人体検出手段であり、バーナ２の燃焼中において人体検出手段１３が人の存在を検知しているときは、燃焼制御手段１２ａは温度設定手段１０に記憶されている温度数値と現在室温の温度数値とを比較し、最適なポンプ３と燃焼用送風機４における燃料流量と供給空気量を指示する通常の燃焼制御運転を行う。
【００２７】
一方、人体検出手段１３が人の存在を検知できない人体不検知の信号を出力し、この状態が所定時間継続すると、燃焼制御手段１２ａはポンプ３と燃焼用送風機４の燃料と空気の流量を変更して、バーナ２の燃焼量を強制的に微小燃焼に変更する。また、この状態のときに暖房機から離れていた人が戻ってきて人体検出手段１３が人の存在を検知すると、燃焼制御手段１２ａは温度設定手段１０に記憶されている温度数値と現在室温の温度数値とを比較し、最適なポンプ３と燃焼用送風機４における燃料流量と供給空気量を指示する本来の燃焼制御運転を再開する。
【００２８】
また、バーナ２の燃焼量が微小燃焼に変更してから更に人体検出手段１３が人の存在を検知できない状態が所定時間継続すると、燃焼量制御手段１２ａはバーナ２の燃焼を停止し、バーナ２の燃焼が停止した後は人体検出手段１３が人の存在を検知しても燃焼は再開しない。
【００２９】
また、人体検出手段１３の人体不検知の信号を出力しても、所定時間継続する前に人体検出手段１３が人の存在を検知したときには、バーナ２は通常の運転に復帰するものであり、たまたま暖房中の部屋に人の不在時間があった場合に、短時間の人の出入りに反応してバーナ２の燃焼量が変化することはないものである。また、この復帰した状態から人体検出手段１３が再び人の不在を検知し、この状態が所定時間継続すればバーナ２の燃焼量が微小燃焼に移行する。
【００３０】
１７は操作表示盤２７に設けた表示手段、１７ａは操作表示盤２７に設けた７セグメントによる表示部、１７ｂは操作表示盤２７に設けた表示ランプであり、表示手段１７は表示部１７ａと表示ランプ１７ｂで構成している。温風暖房機には時計機能を内装しており、表示部１７ａは温風暖房機の運転中に現在室温と設定温度を表示し、温風暖房機の不使用時に時刻を表示する。また、温風暖房機の異常発生時にはエラー番号等を表示することができる。一方、表示ランプ１７ｂは点灯や点滅などで運転状態を表示しており、使用者は暖房機から離れたところから現在の運転状態を確認することができるようになっている。
【００３１】
この発明は、人体検出手段１３を備えた温風暖房機を利用して簡易の防犯装置を提案するもので、１４は前記操作表示盤２７に設けられたボタンで構成された人体検出手段１３の検知機能の有効／無効を選択するモード選択手段であり、使用者はモード選択手段１４のボタンを操作することで人体検出手段１３を有効にしたり無効にしたりすることができ、温風暖房機の不使用時にモード選択手段１４によって人体検出手段１３の機能を有効にすると監視モードがセットされる。
【００３２】
１５は温風暖房機の異常発生時に警報ブザーを鳴らしたり警告ランプを点灯したりする警報手段であり、監視モード中は人体検出手段１３が人の存在を検知したかを第３判定部Ｓ３で判断し、人体検出手段１３が人の存在を検知したときは、警報手段１５を所定時間作動するものであり、実施例の温風暖房機では、警報手段１５の作動時に警報ブザーを鳴らすと共に、表示手段１７を構成する表示部１７ａと表示ランプ１７ｂの全てを点滅させるようにしている。
【００３３】
このため、使用者が外出の際に監視モード選択手段１４を操作して温風暖房機の監視モードをセットしておけば、留守中に侵入者があった場合、人が温風暖房機の付近に近づいたときに人体検出手段１３が人の存在を検知して警報手段１５が作動するので、侵入者に対して警告を行うことができる。
【００３４】
また、モード選択手段１４によって監視モードをセットした場合、温風暖房機の付近にいる人が部屋から出るまでに人体検出手段１３によって検出される可能性がある。図２は監視モードの動作を説明するフローチャートであり、モード選択手段１４によって監視モードをセットすると、温風暖房機が運転中か停止中かを第１判定部Ｓ１で判断し、停止中であることを確認すると温風暖房機は監視モードの待機状態となる。
【００３５】
１６は人体検出手段１３が人体不検知の状態を検知したときにカウントを開始するタイマ手段であり、制御装置１２は監視モードの待機状態となってから人体検出手段１３から人体不検知の出力があるとタイマ手段１６にカウントの開始を指示し、人体不検知の状態が所定時間継続したかを第２判定部Ｓ２で判断する。タイマ手段１６のカウント中に人体検出手段１３から人体検知の出力があるとタイマ手段１６にカウントの停止を指示して待機状態に戻り、カウントを開始したタイマ手段１６がカウントを終了すると人体不検知の状態が所定時間継続したと判断して監視モードに移行する。
【００３６】
このように人体不検知の状態が所定時間継続してから監視モードの動作を開始する構成であれば、人がいなくなって完全に留守状態になってから監視モードの動作が開始するので、使用者が温風暖房機の付近にいる間に人体検出手段１３が誤検知を行うことはないものである。
【００３７】
また、監視モードで作動中に人体検出手段１３が人の存在を検知して警報手段１５を所定時間作動した後は、温風暖房機の付近から人がいなくなって人体検出手段１３が人の存在を検知できない人体不検知の信号を出力したときは、この出力を受けてタイマ手段１８にカウントの開始を指示し、人体不検知の状態が所定時間継続したかを第４判定部Ｓ４で判断するものであり、カウントを開始したタイマ手段１８がカウントを終了すると監視モードを再開する構成としたから、人体検出手段１３による人体検知の出力後も監視モードの動作が継続できる。このため、警報手段１５の作動によって一旦温風暖房機の付近から離れた人が時間をおいてから再度温風暖房機の付近に近づいたときも、警報手段１５が作動して警告を行うことができる。
【００３８】
また、１８は監視モード中の人体検出手段１３の人体検知の出力回数をカウントするカウンタ手段であり、図２に示すフローチャートにおいて、監視モード中に人体検出手段１３が人の存在を検知したことを第３判定部Ｓ３で検出したときは、警報手段１５を所定時間作動すると共に、カウンタ手段１８のカウント数を加算するものであり、監視モード中に人体検知の出力が複数あればカウンタ手段１８のカウント数を加算していく。
【００３９】
そして、操作表示盤２７に設けられた特定のボタンを操作するとカウンタ手段１８でカウントされたカウント数を表示手段１７に表示できるようになっており、監視モード中に人体検知の出力があった場合はカウンタ手段１８のカウント数が加算されているので、使用者が外出から戻って表示手段１７にカウンタ手段１８のカウント数を表示させたときに、カウント数が加算されていれば留守中に何らかの異常があったことに気付くことができる。
【００４０】
また、図３のフローチャートはこの発明の他の実施例の動作を示すもので、１９は制御装置１２に備える記憶手段であり、監視モード中に人体検知の出力があったときに温風暖房機に備える時計機能に時刻データが設定されているかを第５判定部Ｓ５で判断し、時刻データが設定されている場合、人体検出手段１３の人体検知の出力があったときの時刻データを記憶手段１９に記憶するものであり、監視モード中に人体検出手段１３の人体検知の出力が複数回あったときは、人体検知した時刻データが順に記憶手段１９に書き込まれる。
【００４１】
そして、記憶手段１９に記憶された時刻データは操作表示盤２７に設けられた特定のボタンを操作すると表示手段１７を構成する表示部１７ａに表示され、複数個の時刻データが記憶されているときは、ボタンを押すごとに時刻データが順番に表示されるものである。したがって、時計機能の時刻設定をしておけば、留守中に侵入者等の異常があった場合には、人体検知の出力回数と人体検知の出力がいつあったか等の情報を確認できる。
【００４２】
一方、時計機能に時刻データが設定されていない場合は、人体検出手段１３の人体検知の出力回数をカウンタ手段１６に加算する構成とし、時刻設定が行われていないときは表示部１７ａにカウント数が表示され、人体検出手段１３の出力回数を知ることができる。
【００４３】
カウンタ手段１８のカウント数と記憶手段１９に記憶された時刻データはモード選択手段１４によって監視モードを解除したときにクリヤされ、次回の監視モードに備える。
【００４４】
以上のようにこの発明では、温風暖房機に簡易の防犯装置の機能を持たせることができ、温風暖房機に備える人体検出手段１３を有効に利用でき、従来のように通信制御を行う制御装置を内蔵しないので、使用者にとって使い易い機能となり、また、温風暖房機の価格の上昇を抑えることができた。
【００４５】
また、警報手段１５とカウンタ手段１８・記憶手段１９の動作について、図２に示すように警報手段１５が予め設定した時間作動するように設定した場合は、警報手段１５の停止後にカウンタ手段１８のカウント加算や記憶手段１９の時刻データの記憶を行う構成とするとよく、使用者が外出から戻ってきたときに警報手段１５が作動しても、警報手段１５が作動している間はカウント加算されないので、この間に人体検知の有無の確認を行えば正確な履歴が確認できる。
【００４６】
一方、図３に示すように、人体検出手段１３が人体検知の出力をしている間は警報手段１５が作動を継続し、その後人体不検知の出力によって作動するタイマ手段１６がカウントアップした時に停止するように設定した場合は、温風暖房機の付近から完全に人の存在がなくなるまでは警報手段１５が作動を継続し、警報手段１５が停止したときには監視モードを再開しており、警報手段１５の停止後に温風暖房機の付近に人が近づけば警報手段１５が作動するから、防犯装置としての作動の確実性を増すことができる。
【００４７】
また、監視モード中は監視モードの解除と表示手段１７の表示操作以外の操作を無効となるようにしたから、監視モードを解除しない限り警報手段１５の作動を止めることができないものであり、警報を止めようとして誤って運転スイッチ１１を操作しても温風暖房機が運転することはなく、安全性が確保できる。
【００４８】
また、モード選択手段１４は温風暖房機の停止中の監視モードの設定に使われるが、燃焼中の人体検出手段１３の検知機能の選択手段としても利用できるものであり、燃焼中にモード選択手段１４のボタンを操作することで人体検出手段１３を有効にしたり無効にしたりすることができ、人体検出手段１３を無効にしておけば人がいないときでも暖房機の連続運転が可能となる。
【００４９】
なお、各種の検出手段や操作部の信号を入力とする、制御装置１２、人体検出手段１３、タイマ手段１６などは、全体をコンピュータシステムで構築することができ、ひとつのＣＰＵ基板の上に機能別に配置することもでき、また、ワンチップＣＰＵの中にその全体を組み込むこともできる。またこのようにコンピュータシステムとして構成したときには、操作表示盤２７上に配置した各種ボタンの増加を抑えるために、モード選択手段１４は、スイッチを兼用させて短押しや長押しによって入力内容を認識できるようにすることも可能となる。
【図面の簡単な説明】
【００５０】
【図１】この発明の実施例を示すブロック図である。
【図２】この発明の実施例の構成を示すフローチャートである。
【図３】この発明の他の実施例の構成を示すフローチャートである。
【図４】この発明の実施例を示す温風暖房機の断面図である。
【図５】この発明の実施例を示す温風暖房機の正面図である。
【符号の説明】
【００５１】
１    枠体
２    バーナ
３    ポンプ
４    燃焼用送風機
５    送風経路
６    対流用送風機
７    吹出口
８    燃焼室
９    室内温度検出手段
１０    温度設定手段
１１    運転スイッチ
１２    制御装置
１２ａ  燃焼制御手段
１３    人体検出手段
１４    モード選択手段
１５    警報手段
１６    タイマ手段
１７    表示手段
１７ａ  表示部
１８    カウンタ手段
１９    記憶手段
【図１】
2006207979.tif 000003
【図２】
2006207979.tif 000004
【図３】
2006207979.tif 000005
【図４】
2006207979.tif 000006
【図５】
2006207979.tif 000007